(57)【要約】  開始された本発明は、精密な抵抗値を有するように ＰＣＢ型ヒーターを利用し、リンゲル輸液や輸血時に血管に入る輸液及び血液の温度を体温と一致させるためのＰＣＢ型ヒーターを有する加熱装置に関するものであり、特に点滴室から流体を供給されるチューブが連結される第１連結部と、前記流体が流れるようにするための螺旋形ねじ山形状の通路と、前記通路に流れる流体を注射針で供給するための第２連結部で構成されたボディ; 前記ボディに嵌合されて所定の接着方式によって前記ボディに付着、固定されて前記流体が外部に流出しないようにするための手段の内カバー; 前記ボディと内カバーを密着、固定させる中間カバー; 前記中間カバーの上部面内部及び下部面内部に挿入され、前記通路に流れる流体に熱を加えて流体が一定温度に保たれるようにするＰＣＢ型ヒーター; 前記ヒータ及び中間カバーが結合されたボディを収納することができる函部を有する下部ケース; 及び前記下部ケースと結合される上部ケース;で構成されたことを特徴とする。
2007516007.tif 000002
【特許請求の範囲】
【請求項１】
点滴室から流体を供給されるチューブが連結される第１連結部と、前記流体が流れるようにするための螺旋形ねじ山形状の通路と、前記通路に流れる流体を注射針で供給するための第２連結部で構成されたボディ;前記ボディに嵌合されて所定接着方式によって前記ボディに付着、固定されて前記流体が外部に流出しないようにするための内カバー;前記ボディと前記内カバーを密着、固定させるための中間カバー;前記中間カバーの上部面内部及び下部面内部に挿入され、前記通路に流れる流体に熱を加えて流体が一定温度に保たれるようにするＰＣＢ型ヒーター;前記ヒーター及び中間カバーが結合されたボディを収納することができる函部を有する下部ケース;及び前記下部ケースと結合される上部ケース;で構成されたことを特徴とする加熱装置。
【請求項２】
点滴室から流体を供給されるチューブが連結される第１連結部と、前記流体が流れるようにするためのジグザグ形状の通路と、前記通路に流れる流体を注射針で供給するための第２連結部で構成されたボディ;前記通路が形成された面に所定接着方式によって付着、固定されて前記流体が外部に流出しないようにするための中間カバー;前記ボディの内部及び前記中間カバーの内部の中で少なくとも１ヶ所に挿入され、前記通路に流れる流体に熱を加えて流体が一定温度に保たれるようにするＰＣＢ型ヒーター;前記ヒーター及び中間カバーが結合されたボディを収納することができる函部を有する下部ケース; 及び前記下部ケースと結合される上部ケース;で構成されたことを特徴とする加熱装置。
【請求項３】
点滴室から流体を供給されるチューブが連結される第１連結部と、前記流体が流れるようにするための螺旋形ねじ山形状の通路と、前記通路に流れる流体を注射針で供給するための第２連結部で構成されたボディ;前記ボディに嵌合されて所定接着方式によって前記ボディに付着、固定されて前記流体が外部に流出しないようにするための内カバー;前記ボディと内カバーを密着、固定させるための硬質の中間カバー;前記中間カバーの上部面内部及び下部面内部に挿入され、前記通路に流れる流体に熱を加えて流体が一定温度に保たれるようにするＰＣＢ型ヒーター;前記ヒーター及び中間カバーが結合されたボディを収納することができる函部を有する下部ケース;前記下部ケースと結合され、前記ヒーターに電源を供給することができる電源供給端子を備えている上部ケース;及び前記電源供給端子と接触可能になるように前記上部ケースの内部に装着されるバッテリー;で構成されたことを特徴とする加熱装置。
【請求項４】
請求項１乃至３のいずれかの項において、前記上部ケースに使用者の操作によって前記ヒーターに電源が供給または遮断されるようにする電源ボタンと、前記ヒーターが正常に動作するか否かを表示するための動作表示部と、前記ヒーターが誤動作する場合アラーム表示をするアラーム表示部と、前記ヒーターの発熱温度を表示する温度表示部と、前記使用者の操作によって前記ヒーターの発熱温度を調整するための温度設定ボタンが備えられていることを特徴とする加熱装置。
【請求項５】
請求項１または３において、前記ヒーターが、前記ボディ内部に挿入されることを特徴とする加熱装置。
【請求項６】
請求項１ないし３のいずれかの項において、前記ヒーターは、絶縁基板と前記絶縁基板上部に一定の抵抗値を有するように設計された回路パターンによって形成され、電源供給によってあらかじめ設計された熱量ほど熱を発生させる発熱抵抗体と、前記発熱抵抗体に電源を供給するための電源供給端子と、前記ボディの通路を通じて流れる流体の温度を測定する温度センサーと結合される結合端子と、前記結合端子と連結されて測定された温度を外部から読み取るようにするためのセンサー連結端子と、前記発熱抵抗体を保護するための絶縁保護膜で形成されており、前記絶縁基板上部の所定の領域または前記絶縁基板の下部に前記ヒーターの発熱程度を制御するための制御回路がさらに形成されていることを特徴とする加熱装置。
【請求項７】
請求項１において、前記チューブと前記第１連結部は、ねじ結合によって連結されることを特徴とする加熱装置。
【請求項８】
請求項１において、前記チューブと前記第１連結部は、所定の接着方式によって結合、連結されることを特徴とする加熱装置。
【請求項９】
請求項５において、前記絶縁基板にコーティングされる物質は、銅、鉄、ニッケル、クロム及び前記純金属に一つの物質が所定の割合で配合され、生成した合金中の一つであることを特徴とする加熱装置。
【請求項１０】
請求項５において、前記絶縁基板上に熱起電力が大きい互いに異なる物質をコーティングして発熱抵抗体を形成させ、電源供給によって発熱したり、または熱電対が形成されるようにし、前記互いに異なる物質を連結させるためのビアホールが、さらに含まれることを特徴とする加熱装置。
【請求項１１】
請求項５において、前記絶縁基板上下部に熱起電力が大きい互いに異なる物質をそれぞれコーティングして発熱体を形成させ、電源供給の可否によって発熱したり、または熱電対が形成されるようにし、前記互いに異なる物質を連結させるためのビアホールが、さらに含まれることを特徴とする加熱装置。
【請求項１２】
請求項５において、前記制御回路は、前記温度センサーによって発熱抵抗体及び流体の温度を認識し、前記発熱抵抗体及び流体の温度があらかじめ設定された温度であるかを判断し、電源が前記発熱抵抗体に供給されたり、または遮断されるようにすることを特徴とする加熱装置。
【請求項１３】
請求項１１において、前記制御回路は、前記発熱抵抗体が発熱温度が基準発熱温度より高い場合、前記発熱抵抗体に供給される電源を止め、アラーム信号を出力することを特徴とする加熱装置。
【請求項１４】
ＰＣＢ型ヒーターが内部に挿入されているボディ;所定の流体を移動させ、前記流体の温度が一定温度に保たれるように前記ボディ上部に巻かれたチューブ;前記チューブがボディに付着、固定されるように前記ボディに結合される硬質の中間カバー;前記ヒータ及び中間カバーが結合されたボディを収納することができる函部を有する下部ケース;前記下部ケースと結合され、前記ヒーターに電源を供給することができる電源供給端子を備えている上部ケース;及び前記電源供給端子と接触可能になるように前記上部ケースの内部に装着されるＤＣ電源部;で構成されたことを特徴とする加熱装置。
【発明の詳細な説明】
【技術分野】
【０００１】
本発明は印刷回路基板型（printed circuit board type）（ＰＣＢ型）ヒーターを有する加熱装置に関すものである。
【０００２】
より詳しくは、精密な抵抗値を有するようにＰＣＢ型ヒーターを発熱手段として利用し、リンゲル輸液や輸血時に血管に入る輸液及び、血液の温度を体温と一致させるためのＰＣＢ型ヒーターを有する加熱装置に関するものある。
【従来技術】
【０００３】
通常的に患者に有用な化学物質を投与する方法は薬物服用と注射方法がある。患者に注射する方法は皮下注射、筋肉内注射、静脈注射などの方法があり、これらの中で静脈注射は長期間の間に血管内に注射液を注射する場合に使われる。例えば、手術時の血液の供給やリンゲル輸液を投与する場合に静脈注射が使われ、この静脈注射は点滴注射セットを普通利用する。
【０００４】
リンゲル輸液は普段の時に腐敗や異物の生成を防止するために低い温度で保管し、血液などは普通輸血の前に有害な有機体の腐化を防止するために冷蔵状態で保管されるので、一般的にリンゲル輸液や血液などの温度は人体に投与される時に２０℃以下の状態である。したがって、リンゲル輸液や血液などが人体に投与される場合、人体の温度が普通３７℃であるので、リンゲル輸液や輸血する血液の温度も人体の温度まで上昇する。この場合、リンゲル輸液や血液の温度が人体の温度まで上昇するのに必要なエネルギーは患者の上昇された新陳代謝率によって供給される。この熱負荷は普通時の新陳代謝率と比べると決して弱いのではないので、体温を落として肌の冷却を刺激するようになり、このような事実は、リンゲル輸液の投与や輸血が患者に冷痛覚を発生させたり、生命に致命的に作用することができる。
【０００５】
このような問題点を解決するためにリンゲル輸液や血液などが人体に投与される前に、リンゲル輸液や血液などを人体の温度になるようにする医療用加熱装置と方法は、国内特許第１３０９２６号に示されている。
【０００６】
国内特許第１３０９２６号によると、リンゲル輸液の温度を調節するためにチューブをパネルの上部に固定させ、パネルの上部には第１蓋が載せられており、第１蓋はヒンジで垂直部材に固定されており、ヒンジが付着された垂直部材に対抗する垂直部材にはロック装置が設置されており、第１蓋は上部に断熱材を内臓した第２蓋が付着していて、全体的には四角筒の形状内にチューブが内蔵しており、四角筒の内部の発熱手段によって四角筒の内部にあるチューブを加温する。
【０００７】
四角筒の内部にあるチューブの長さは短くなっているので、４１．５℃以下の低温で加熱しなければならない医療用加熱装置としては、四角筒の内部の発熱手段によって短いチューブを望む温度まで上昇させ、希望する温度を制御するということは実質的に困難であり、たとえ副作用を起こすかも知れない高温発熱装置を使う場合、前記高温発熱装置を制御するために非常に精巧な電子制御システムが適用されなければならないので、装置がさらに複雑になり、加熱装置の単価も高くなるという短所がある。
【０００８】
また、従来のニッケルクロム（Ni-Cr）発熱抵抗体を使用する加熱装置は、丸く作った発熱抵抗体の表面にリンゲル輸液などのチューブを巻いて、その上に蓋をしてロック装置でかけるようになっているので、使う度にチューブを発熱抵抗体の表面に巻かなければならない面倒さと複雑な構造を持ち、ニッケルクロム（Ni-Cr）発熱抵抗体を使うので、加熱装置の体積が大きく、普通の重さも２０kg以上で重くて高い価格を持つという短所を持っている。
【発明の開示】
【発明が解決しようとする課題】
【０００９】
したがって、本発明は前記のような従来技術の問題点を解決するために考案したものであり、本発明の目的は、精密な抵抗値を有するようにＰＣＢ型ヒーターを発熱手段として利用し、リンゲル輸液や輸血時に血管に入る輸液及び、血液の温度を体温と一致させるためのＰＣＢ型ヒーターを有する加熱装置を提供することにある。
【００１０】
また、本発明の目的は、印刷回路基板上に熱起電力が大きい互いに異なる二つの物質を利用し、発熱抵抗体を形成させ、前記二つの物質によって熱電対を形成させ、前記発熱抵抗体の発熱温度を測定し、発熱抵抗体の発熱温度を制御できるようにするためのＰＣＢ型ヒーターを有する加熱装置を提供することにある。
【００１１】
また、本発明の目的は、ヒーターの駆動電源をＤＣ電源に供給することにより、簡単に使用できるようにするためのＰＣＢ型ヒーターを有する加熱装置を提供することにある。
【課題を解決するための手段】
【００１２】
前記のような目的を達成するための本発明の一実施例は、点滴室から流体を供給されるチューブが連結される第１連結部と、前記流体が流れるようにするための螺旋形ねじ山形状の通路と、前記通路に流れる流体を注射針で供給するための第２連結部で構成されたボディ;前記ボディに嵌合されて所定の接着方式によって前記ボディに付着、固定されて前記流体が外部に流出しないようにするための手段の内カバー;前記ボディと内カバーを密着、固定させるための中間カバー;前記カバーの上部面の内部及び下部面の内部に挿入され、前記通路に流れる流体に熱を加えて流体が一定温度に保たれるようにするＰＣＢ型ヒーター;前記ヒータ及び中間カバーが結合されたボディを収納できる函部を有する下部ケース;及び前記下部ケースと結合される上部ケースで構成されたことを特徴とする。
【００１３】
また、本発明の他の実施例は、点滴室から流体を供給されるチューブが連結される第１連結部と、前記流体が流れるようにするためのジグザグ形状の通路と、前記通路に流れる流体を注射針で供給するための第２連結部で構成されたボディ;前記通路が形成された面に所定の接着方式によって付着、固定されて前記流体が外部に流出しないようにするための硬質の中間カバー;前記ボディの内部と前記中間カバーの内部の中で少なくとも１ヶ所に挿入され、前記通路に流れる流体に熱を加えて流体が一定温度に保たれるようにするＰＣＢ型ヒーター;前記ヒーター及び中間カバーが結合されたボディを収納できる函部を有する下部ケース;及び前記下部ケースと結合される上部ケースで構成されたことを特徴とする。
【００１４】
そして、前記上部ケースに、使用者の操作によって前記ヒーターに電源が供給または遮断する電源ボタンと、前記ヒーターが正常に動作するか否かを表示するための動作表示部と、前記ヒーターが誤動作する場合にアラーム表示するアラーム表示部と、前記ヒーターの発熱温度を表示する温度表示部と、前記使用者の操作によって前記ヒーターの発熱温度を調整するための温度設定ボタンが備えられている。
【００１５】
一方、前記ＰＣＢ型ヒーターが前記ボディ内部に挿入される。
【００１６】
ここで、前記ＰＣＢ型ヒーターは、絶縁基板と、前記絶縁基板上部に一定の抵抗値を有する-ように設計された回路パターンによって形成され、電源供給によってあらかじめ設計された熱量ほど熱を発生させる発熱抵抗体と、前記発熱抵抗体に電源を供給するための電源供給端子と、前記ボディの流路を通じて流れる流体の温度を測定する温度センサーと結合される結合端子と、前記結合端子と連結されて測定された温度を外部から読み取るようにするためのセンサー連結端子と、前記発熱抵抗体を保護するための絶縁保護膜で形成されており、前記絶縁基板上部の所定の領域または前記絶縁基板の下部に前記ヒーターの発熱の程度を制御するための制御回路がさらに形成されている。
【００１７】
上記及び、他の目的、ならびに発明の特徴は、添付図面を用いた以下の記述及び好ましい実施形態によって明らかにされる。
【発明を実施するための最良の形態】
【００１８】
以下、添付した図面を参照して本発明の好ましい実施例について説明する。
【実施例１】
【００１９】
図１は本発明によるＰＣＢ方型ヒーターを利用した医療用加熱装置の分離斜視図である。添付図面の図１に示されたように点滴室から流体を供給されるチューブが連結される第１連結部（１１３）と、前記流体が流れるようにするための螺旋形ねじ山形状の通路（１１２）と、前記通路（１１２）に流れる流体を注射針で供給するための第２連結部（１１４）で構成されたボディ（１１０）と、前記ボディ（１１０）に嵌合されて超音波方式または高周波方式または接着剤によって前記ボディ（１１０）に付着、固定されて前記流体が外部に流出しないようにするための手段の内カバー（１１５）と、前記ボディ（１１０）と内カバー（１１５）を密着、固定させる中間カバー（１３０a）（１３０b）と、前記中間カバーの上部面（１３０a）内部及び下部面（１３０b）内部に挿入され、前記通路（１１２）に流れる流体に熱を加えて流体が一定温度に保たれるようにする ＰＣＢ型ヒーター（１００）と、前記ヒーター（１００）及び、中間カバー（１３０a）（１３０b）が結合されたボディ（１１０）を収納できる函部（１５１）を有する下部ケース（１５０）と、前記下部ケース（１５０）と結合される上部ケース（１４０）で構成される。
【００２０】
前記ボディ（１１０）と前記中間カバー（１３０a）（１３０b）の材質は、互いに異なる材質で形成されている。例えば、前記ボディ（１１０）の材質はＡＢＳであり、前記中間カバー（１３０a）（１３０b）の材質はＰＥであり、この時、前記ボディ（１１０）と前記中間カバー（１３０a）（１３０b）の結合した超音波接着方式によって形成することができる。
【００２１】
また他の接着方法には前記ボディ（１１０）に収縮性が良いＰＥチューブを利用して圧着した後、前記中間カバー（１３０a）（１３０b）を結合することにより、ボディ（１１０）に中間カバー（１３０a）（１３０b）をさらに容易に接着、結合させることができる。
【００２２】
この時、前記上部ケース（１４０）の一側上部には使用者の操作によって前記ヒーターに電源が供給または遮断されるようにする電源ボタン（２１０）と、前記ヒーター（１００）が正常に動作するか否かを表示するための動作表示部（７１０）と、前記ヒーター（１００）が誤動作する場合、アラーム表示をするアラーム表示部（７２０）と、前記ヒーター（１００）の発熱温度を表示する温度表示部（９００）と、前記使用者の操作によって前記ヒーター（１００）の発熱温度を調整するための温度設定ボタン（２２０）が具備されており、前記温度設定ボタン（２２０）は左の方を押す場合に設定された温度が下がり、右の方を押す場合は設定された温度が上がるように構成されている。
【００２３】
一方、前記ＰＣＢ型ヒーター（１００）は、添付図面の図２に示されたように絶縁基板（１０）と、前記絶縁基板（１０）上部に一定の抵抗値を有するように設計された回路パターンによって形成され、電源供給によってあらかじめ設計された熱量ほど熱を発生させる発熱抵抗体（２０）と、前記発熱抵抗体（２０）に電源を供給するための電源供給端子（３０）と、前記ボディ（１１０）の通路（１１２）を通じて流れる流体の温度を測定する温度センサー（４２）が装着される温度センサー・マウンタ（４１）の結合端子（４０）と、前記結合端子（４０）と連結されて測定された温度を外部から読み取るようにするためのセンサー連結端子（６０）と、前記発熱手段（２０）を保護するための絶縁保護膜（７０）で構成される。
【００２４】
前記結合端子（４０）にはセンサー・マウンタ（４１）が固定、結合され、前記センサー・マウンタ（４１）にはセンサー（４２）が装着、結合される。
【００２５】
一方、前記ヒーター（１００）は添付図面の図３に示されたように多数のヒーター（１００a-１００c）が並列に連結、構成され、ＤＣ電源を共通で入力を受けて動作するようになる。この時、 前記ヒーター（１００a-１００c）の発熱温度は、ヒーター（１００a-１００c）にそれぞれ連結、具備されたセンサー（２a-２c）によって感知するようになる。そうするので、所定ヒーターの動作を中止する場合と駆動する場合、前記ヒーター（１００a-１００c）にそれぞれ連結されたスイチング素子（添付図面の図３に不図示）を制御部（添付図面の図３に不図示、添付図面の図１３に図示）が制御できるようにし、前記ヒーター（１００a-１００c）にＤＣ電源が遮断または供給できるようにし、その駆動状態を制御するようになる。この時、前記スイチング素子は添付図面の図１３の安全保護回路部に該当することもできる。一方３aはセンサー共通線であり、３b-３dは、各センサー（２a-２c）と連結されたセンシング電極である。そして４aは電源端子として共通線（ＤＣ−電極）であり、４b-４dは各ヒーターと連結されたＤＣ＋電極である。
【００２６】
また、添付図面の図４に示されたように前記絶縁基板の下部に前記ヒーターの発熱の程度を制御するための制御回路がさらに形成されており、前記制御回路を機能的に説明すれば次のようである。
【００２７】
添付図面の図１３に示されたように前記ヒーター（１００）に電源を供給する電源供給部（５００）と、前記ヒーター（１００）の発熱温度及び通路（１１２）を通じて流れる流体の温度を感知する温度センサー（３００）と、使用者の操作によって電源供給要請信号を出力するための電源ボタン（２１０）、前記発熱温度を設定するための温度設定ボタン（２２０）など複数のボタンで構成された操作部（２００）と、前記操作部（２００）の電源ボタン（２１０）によって入力される電源供給要請信号に応じて前記電源供給部（５００）の電源がヒーター（１００）に供給されるようにし、前記温度設定ボタン（２２０）によって設定された温度と前記温度センサー（３００）によって入力される温度を比べて前記電源供給部（５００）から供給される電源が遮断されるように制御し、前記電源ボタン（２１０）がオンドになる場合、動作表示部（７１０）が点灯するようにし、前記ヒーター（１００）の発熱温度が基準発熱温度より高くなる場合アラーム表示部（７２０）が点灯するようにする一方、アラーム発生部（８００）を通じてアラーム信号が送出されるように全体システムを制御する制御部（４００）と、前記制御部（４００）の制御に応じて前記ヒーター（１００）に電源が供給または遮断されるようにする安全保護回路部（６００）と、前記制御部（４００）の制御に応じてヒーター（１００）の設定発熱温度を表示する温度表示部（９００）で構成される。
【００２８】
即ち、制御部（４００）は、ヒーター（１００）の発熱温度だけでなく、ヒーター（１００）によって一定温度に暖められた流体の温度を測定し、流体が適正温度を維持するようにヒーター（１００）に供給される電源を制御する。
【００２９】
ここで、動作表示部（７１０）はグリーン色発光ダイオードであり、 アラーム表示部（７２０）は赤色発光ダイオードであり、これらを合わせて発光部（７００）と言って、 必要に応じて多様に構成することもできる。またアラーム発生部（８００）はブザーである。
【００３０】
そして、添付図面の図２に示された温度センサー（４２）及び、ヒーター（１００）代りに添付図面の図５に示されたように絶縁基板（１０）の一側面に熱起電力が大きい互いに異なる物質をコーティングして発熱抵抗体（２０）（２２）を形成させ、電源が供給される場合にはヒーターに動作するようにし、電源が遮断される場合は形成された熱電対を利用して温度センサーで動作するように電源供給によって発熱したり、または熱電対が形成されるように構成することもできる。ここで、二つの物質で構成された発熱抵抗体（２０）（２２）はビアホール（３５）によって連結される。この時、前記発熱抵抗体（２０）（２２）に電源が供給されたり、遮断できるようにする構成要素は、添付図面の図１２で安全保護回路部（６００）、制御部（４００）である。
【００３１】
一方、前記図５代りに添付図面の図６及び図７のように絶縁基板上部面（１１）及び、下部面（１２）それぞれに熱起電力が大きい互いに異なる物質をコーティングさせて発熱抵抗体（２０）（２２）を形成させ、電源が供給される場合にはヒーターに動作するようにし、電源が遮断される場合は形成された熱電対を利用し、温度センサーで動作するように電源供給によって発熱したり、または熱電対が形成されるように構成することもできる。ここで、二つの物質で構成された発熱抵抗体（２０）（２２）はビアホール（３５）によって連結される。
【実施例２】
【００３２】
図８は図１の他の実施例を説明するための断面図である。
【００３３】
添付図面の図８の断面図で分かるように、点滴室から流体を供給されるチューブが連結される第１連結部（１１３）と、前記流体が流れるようにするための螺旋形ねじ山形状の通路（１１２）と、前記通路（１１２）に流れる流体を注射針で供給するための第２連結部（１１４）で構成されたボディ（１１０）と、前記ボディ（１１０）に嵌合されて超音波方式または高周波方式または接着剤によって前記ボディ（１１０）に付着、固定されて前記流体が外部に流出しないようにするための手段の内カバー（１１５）と、前記ボディ（１１０）と内カバー（１１５）を密着、固定させるための中間カバー（１３０a）（１３０b）と、前記ボディ（１１０）の内部に挿入され、前記通路（１１２）に流れる流体に熱を加えて流体が一定温度に保たれるようにするＰＣＢ型ヒーター（１００）で構成される。
【００３４】
一方、図面には示されていないが、実施例１と同じで、前記ヒーター（１００）及び中間カバー（１３０a）（１３０b）が結合されたボディ（１１０）を収納することができる函部（１５１）を有する下部ケース（１５０）と、前記下部ケース（１５０）と結合される上部ケース（１４０）を構成要素に持つ。
【００３５】
前記実施例２は実施例１で前記ヒーター（１００）が挿入される位置だけ異なり、この以外の部分は同一であり、同じ部分に対する詳細な説明は省略することにする。
【実施例３】
【００３６】
図９は図１のまた他の実施例を説明するための断面図である。
【００３７】
添付図面の図９の分解斜視図で分かるように、点滴室から流体を供給されるチューブが連結される第１連結部（１１３）と、前記流体が流れるようにするためのジグザグ形状の通路（１１２a）と、前記通路（１１２a）に流れる流体を注射針で供給するための第２連結部（１１４）で構成されたボディ（１１０a）と、前記通路（１１２a）が形成された面に超音波方式または高周波方式または接着剤によって付着、固定されて前記流体が外部に流出しないようにするための硬質の中間カバー（１３０c）と、前記ボディ（１１２a）の内部及び、前記中間カバー（１３０c）の中で少なくとも１ヶ所に挿入され、前記通路（１１２a）に流れる流体に熱を加えて流体が一定温度に保たれるようにするＰＣＢ型ヒーター（１００）で構成される。
【００３８】
この時、前記通路（１１２a）は突起（１１１a）によって形成される。
【００３９】
一方、図面には図示されていないが、実施例１と同様に前記ヒーター（１００）及び、中間カバー（１３０c）が結合されたボディ（１１０）を収納することができる函部（１５１）を有する下部ケース（１５０）と、前記下部ケース（１５０）と結合される上部ケース（１４０）を構成要素に持つ。
【００４０】
前記実施例３で通路（１１１a）はジグザグ形状を有するが、実施例１では螺旋形ねじ山形状を有し、前記ヒーター（１００）が挿入射出される位置も違うが、その以外の部分は同一なので、同じ部分に対する詳細な説明は省略する事にする。
【００４１】
図１０は図１の結合斜視図である。
【００４２】
添付図面の図１０の結合斜視図で分かるように、前記上部カバー（１４０）には係止突起が形成されているロック用突起（１４１）が形成されており、前記下部カバー（１５０）には前記突起（１４１）が結合される溝（１５２）が形成されており、前記使用者が押す場合、溝（１５２）にかかった突起（１４１）が前記溝（１５２）から離脱できるようにするためのボタン（１５３）が形成されている。
【００４３】
図１１は本発明が適用された点滴室連結部を図示した図面として、添付図面の図１１は点滴室からリンゲル輸液や血液を前記ボディ（１１０）の通路（１１２）に流入するようにするチューブが連結部（１１３）に結合される方式を図示した図面として、チューブの端を連結部（１１３）に挿入させた後、下方に力を入れて連結部（１１３）にチューブが密着、挿入されて固定されるようにする方式である。この時、前記ボディ（１１０）とチューブは、ＰＶＣという同じ材質で形成されており、接着剤を利用して固定、結合される。
【００４４】
図１２は図１１の他の実施例を図示した図面として、添付図面の図１１は図９の連結部（１１３）内部に雌ねじ山（１１３a）が形成されており、前記チューブ先端には結合部材が形成されている。
【００４５】
前記チューブ先端に形成された結合部材の外側には雄ねじ山が形成されており、前記雌ねじ山（１１３a）とねじ結合されてチューブを通じて供給される流体が加温機によって所定温度に保たれるようにする。添付図面の図１２と同じ結合構造を有する場合はチューブの材質はＰＶＣであり、ボディ（１１０）の材質はＰＰとして、互いに材質が違う場合として接着剤を利用して固定、結合させることができないので、ねじ結合構造を有するようにする。
【実施例４】
【００４６】
一方、添付図面図１及び図１４に示されたように点滴室から流体を供給されるチューブが連結される第１連結部（１１３）と、前記流体が流れるようにするための螺旋形ねじ山形状の通路（１１２）と、前記通路（１１２）に流れる流体を注射針で供給するための第２連結部（１１４）で構成されたボディ（１１０）と、前記ボディ（１１０）に嵌合されて超音波方式または高周波方式または接着剤によって前記ボディ（１１０）に付着、固定されて前記流体が外部に流出しないようにするための手段の内カバー（１１５）と、前記ボディ（１１０）と内カバー（１１５）を密着、固定させるための中間カバー（１３０a）（１３０b）と、前記中間カバーの上部面（１３０a）内部及び、下部面（１３０b）内部及び、ボディ内部（１１０）の中で少なくとも１ヶ所に挿入され、前記通路（１１２）に流れる流体に熱を加えて流体が一定温度に保たれるようにするＰＣＢ型ヒーター（１００）と、前記ヒーター（１００）及び、中間カバー（１３０a）（１３０b）が結合されたボディ（１１０）を収納することができる函部（１５１）を有する下部ケース（１５０）と、前記下部ケース（１５０）と結合され、前記ヒーターに電源を供給することができる電源供給端子（１４１）を備えている上部ケース（１４０）と、前記電源供給端子（１４１）と接触可能になるように前記上部ケースの内部に装着されるＤＣ電源部（１４２）で構成される。
【００４７】
その以外の構成は、実施例１と同一なので、詳細な説明は省略する事にする。即ち、実施例４はヒーターを作動させるための電源をＤＣ電源であるバッテリーに供給されようとする。この時、前記ＤＣ電源部（１４２）は、図面に示されたバッテリー以外に一定電圧を供給するためのＤＣアダプタなどが含まれる。
【実施例５】
【００４８】
一方、添付図面の図１５に示されたようにＰＣＢ型ヒーター（１００）が内部に挿入されているボディ（１１０）と、所定の流体を移動させて、前記流体の温度が一定温度に保たれるように前記ボディ（１１０）上部に巻かれたチューブ（１６０）と、前記チューブ（１６０）がボディ（１１０）に付着、固定されるように前記ボディ（１１０）に結合される硬質の中間カバー（１３０a）（１３０b）で構成される。
【００４９】
その以外の構成は実施例１と同一なので、詳細な説明は省略する事にする。
【００５０】
以下、前記のように構成されたＰＣＢ型ヒーターを有する加熱装置の作用を説明すれば次のようである。
【００５１】
添付図面の図１１または図１２に示された連結方式によって加熱装置の第１連結部（１１３）に点滴室と連結されたチューブが連結され、第２連結部（１１４）に注射針と連結されたチューブが連結された後、使用者によって電源ボタン（２１０）がオンになり、温度設定ボタン（２２０）によって温度が設定された場合、添付図面の図１３の制御部（４００）は、安全保護回路部（６００）を制御し、電源供給部（５００）の電源がヒーター（１００）に供給されるようにする。この時、動作表示部（７１０）を制御して点灯するようにし、使用者は前記動作表示部（７１０）によって加熱装置が正常に動作していることを認識できるようになる。
【００５２】
そして、制御部（４００）は、温度センサー（３００）によってヒーター（１００）の発熱温度を常にチェックする。前記温度センサー（３００）によってチェックされた温度が使用者によって設定された温度が一致するかどうかを判断し、一致するとか未満の場合、安全保護回路部（６００）によってヒーター（１００）に電源が供給されるようにし、また温度センサー（３００）によってヒーター（１００）の発熱温度をチェックして設定された温度より高い場合、安全保護回路部（６００）を制御してヒーター（１００）に供給された電源が遮断されるようにする。
【００５３】
一方、制御部（４００）は、温度センサー（３００）によって感知されたヒータ（１００）の温度が基準に設定されている発熱温度より高くなる場合、制御部（４００）は、安全保護回路部（６００）を制御してヒーター（１００）に供給された電源を遮断すると同時に、アラーム表示部（７２０）を点灯させ、アラーム発生部（８００）を制御してアラーム信号が発生するようにする。ここに使用者は加熱装置が誤動作していることを認識するようになる。
【００５４】
前記のように加熱装置のヒーター（１００）が発熱することになるので、前記ボディ（１１０）の通路（１１２）を通じて流れるリンゲル輸液や血液の温度が前記発熱温度ほど上昇するようになる。
【産業上の利用可能性】
【００５５】
これによって、本発明はＰＣＢ型ヒーターを利用して印刷回路基板上にヒーターを形成させる場合、精密な抵抗値を有するヒータを利用することにより、リンゲル輸液または輸血時にリンゲル輸液または血液の温度が体温と同じにして両者の温度差による体温低下を防止し、患者の痛みをとることができるようになる効果を達成する。
【００５６】
また、本発明はヒーターの抵抗値を精密に設計、測定することができるので、医療用加熱装置によって設定する発熱温度を正確に提供することができる効果を達成する。
【００５７】
また、本発明は印刷回路基板上に熱起電力が大きい互いに異なる二つの物質を利用して発熱抵抗体を形成させ、前記二つの物質によって熱電対を形成させて前記発熱抵抗体の発熱温度を測定し、発熱抵抗体の発熱温度を制御できるようにする効果を達成する。
【００５８】
また、本発明は印刷回路基板型を利用してヒーターを形成させることにより、精密な温度値を提供し、価格が下がった有効な医療用加熱装置を提供できるようにする効果を達成する。
【００５９】
また、本発明はヒーターの駆動電源をＤＣ電源に供給することにより、簡単に使用することができ、常用電源供給が困難な環境の中でも容易に使用できるようにする効果を達成する。
【００６０】
本発明は前記実施例に限定されるものではなく、本発明の技術的思想内で当分野の通常の知識を持った者によって多くの変形が可能であることは明らかである。
【図面の簡単な説明】
【００６１】
【図１】本発明による方式に製造されたヒーターを有する加熱装置の分離斜視図。
【図２】図１に適用されたヒーターの一実施例を示した図面。
【図３】図２の他の実施例を示した図面。
【図４】図１に適用されたヒーターが形成されたＰＣＢ基板の下部にヒータを制御するための制御回路が備えられたＰＣＢ基板を示した図面。
【図５】図２の他の実施例。
【図６】図３のまた他の実施例の上部面を示した図面。
【図７】図３のまた他の実施例の下部面を示した図面。
【図８】図１の他の実施例を説明するための断面図。
【図９】図１のまた他の実施例を説明するための断面図。
【図１０】図１の結合斜視図。
【図１１】本発明が適用された点滴室連結部を示した図面。
【図１１】図１１の他の実施例を示した図面。
【図１３】本発明が適用された加熱装置の制御するための制御回路を説明するためのブロック図。
【図１４】図１のまた他の実施例として、ＤＣ電源部を露出させた図面。
【図１５】図１のまた他の実施例を説明するための図面。
【図１】
2007516007.tif 000003
【図２】
2007516007.tif 000004
【図３】
2007516007.tif 000005
【図４】
2007516007.tif 000006
【図５】
2007516007.tif 000007
【図６】
2007516007.tif 000008
【図７】
2007516007.tif 000009
【図８】
2007516007.tif 000010
【図９】
2007516007.tif 000011
【図１０】
2007516007.tif 000012
【図１１】
2007516007.tif 000013
【図１２】
2007516007.tif 000014
【図１３】
2007516007.tif 000015
【図１４】
2007516007.tif 000016
【図１５】
2007516007.tif 000017
【国際調査報告】
2007516007.tif 000018